(57)【要約】      （修正有）【課題】三つの部品で側押圧式化粧品の口紅を提供する。【解決手段】筒状のハウジング１と、内蓋２と、弾性機構３とを含み、内蓋管の内端面に内蓋位置決め部材が設けられ、内蓋位置決め部材の一側面に切り欠きが形成され、切り欠きに弾性部材が設けられ、弾性部材の外側面に内蓋ストッパ係止点２３１が設けられ、内蓋位置決め部材の外側面に内蓋位置決め係止点２２２が設けられ、弾性機構は、リング本体と、弾性リングと、伸縮ばね３３とを備え、リング本体の内端に弾性機構ストッパ係止点３１１が設けられ、リング本体の外端に弾性機構位置決め係止点３１２が設けられ、弾性リングに、弾性押圧係止点３２１が設けられ、ハウジングの外側面には、弾性押圧係止点に対応する位置にボタン１１が設けられる。【選択図】図６
0003221851.tif 000002
【実用新案登録請求の範囲】
【請求項１】
筒状のハウジング（１）と、前記ハウジング（１）内に嵌合する内蓋（２）と、前記内蓋（２）の内端と前記ハウジング（１）との間に設けられる弾性機構（３）とを含む押圧式化粧品の蓋体構造であって、
前記内蓋（２）の外端に化粧品本体を嵌合するための内蓋管（２１）が形成され、前記内蓋管（２１）の内端面は密閉され、前記内端面にその軸方向に沿って外側へ内蓋位置決め部材（２２）が設けられ、前記内蓋位置決め部材（２２）は中空構造で、その軸方向に沿った一側面に切り欠き（２２１）が形成され、前記切り欠き（２２１）の対応する所に弾性部材（２３）が設けられ、前記弾性部材（２３）の外側面に内蓋ストッパ係止点（２３１）が設けられ、前記内蓋位置決め部材（２２）の外側面に内蓋位置決め係止点（２２２）が設けられ、
前記弾性機構（３）は、リング本体（３１）と、前記リング本体の内端に連結する弾性リング（３２）と、前記内蓋位置決め部材（２２）の中空構造内に収容され、前記ハウジング（１）の内端面に弾性的に当接する伸縮ばね（３３）とを備え、前記リング本体（３１）と前記弾性リング（３２）とは、前記内蓋位置決め部材（２２）及び前記弾性部材（２３）に外嵌し、前記リング本体（３１）の内端の内側面には前記弾性部材（２３）の前記内蓋ストッパ係止点（２３１）に対応する位置に、前記内蓋ストッパ係止点（２３１）と係止かつ位置決めが可能な弾性機構ストッパ係止点（３１１）が設けられ、前記リング本体（３１）の外端の内側面に、前記内蓋位置決め係止点（２２２）を位置決めする弾性機構位置決め係止点（３１２）が設けられ、前記弾性リング（３２）には、前記弾性部材（２３）の前記内蓋ストッパ係止点（２３１）の外側に対応する位置に弾性押圧係止点（３２１）が設けられ、
前記ハウジング（１）の外側面には、前記弾性リング（３２）の前記弾性押圧係止点（３２１）に対応する位置にボタン（１１）が設けられる、
ことを特徴とする押圧式化粧品の蓋体構造。
【請求項２】
前記ハウジング（１）に第１中空溝（１２）が設けられ、前記ボタン（１１）は、前記第１中空溝（１２）内に設置され、且つ、片側においてボタン連結テープ（１３）で前記ハウジング（１）と一体に連結される、
請求項１に記載の押圧式化粧品の蓋体構造。
【請求項３】
前記第１中空溝（１２）と前記ボタン（１１）とは、四角形である、
請求項２に記載の押圧式化粧品の蓋体構造。
【請求項４】
前記内蓋位置決め部材（２２）の前記中空構造内に、断面が十字状であるばねストッパが設けられる、
請求項１に記載の押圧式化粧品の蓋体構造。
【請求項５】
前記内蓋管（２１）の外周に、カートリッジ部材(５)を係止する少なくとも一対のカートリッジ係止点(２１１)が設けられ、前記内蓋管（２１）には前記カートリッジ係止点(２１１)の両側の位置に第２中空溝（２１２）が設けられている、
請求項１に記載の押圧式化粧品の蓋体構造。
【請求項６】
前記内蓋ストッパ係止点（２３１）は、前記弾性部材（２３）の内端の外側面に設けられ、前記内蓋位置決め係止点（２２２）は、前記内蓋位置決め部材（２２）の内端の外側面に設けられる
請求項１に記載の押圧式化粧品の蓋体構造。
【考案の詳細な説明】
【技術分野】
【０００１】
本考案は、化粧品包装技術に関し、具体的には、押圧式化粧品の蓋体構造に関する。
【背景技術】
【０００２】
美を求めるのは人間の本能であり、女性は自分を喜ばせてくれる人だけに化粧するというように、メイクは女性の日常生活に欠かせない部分となっている。日常生活では、化粧品を使うことでイメージを高めるのが一般的で、口紅を塗ることが基本的な一つのメイクである。女性だけでなく、男性も寒い冬にリップクリームを塗って唇のひび割れを防ぐことがあり、リップクリームも口紅の一種である。
【０００３】
口紅は、一般的に、ペーストとペーストを収容する口紅チューブとを含み、従来のプッシュスプリング式の口紅チューブは、一般的に、ボタンと、アウターカバーと、インナーカバーと、弾性機構とで構成され、四つの部品を組み合わせて完成する必要があり、構造が比較的複雑で、製造コストが高い。
【考案の概要】
【考案が解決しようとする課題】
【０００４】
このような欠点を克服するために、本考案は押圧式化粧品の蓋体構造を提供する。本考案は三つの部品だけで実現できるので、構造を簡素化し、製造コストを低減するとともに、使い勝手がよりよくなる。
【課題を解決するための手段】
【０００５】
本考案がその技術的な問題を解決するために採用した技術案は、筒状のハウジングと、ハウジング内に嵌合する内蓋と、内蓋の内端とハウジングとの間に設けられる弾性機構とを含む押圧式化粧品の蓋体構造を提供する。押圧式化粧品の蓋体構造において、内蓋の外端に化粧品本体を嵌合するための内蓋管が形成され、内蓋管の内端面は密閉され、内端面にその軸方向に沿って外側へ内蓋位置決め部材が設けられ、内蓋位置決め部材は中空構造で、その軸方向に沿った一側面に切り欠きが形成され、切り欠きの対応する所に弾性部材が設けられ、弾性部材の外側面に内蓋ストッパ係止点が設けられ、内蓋位置決め部材の外側面に内蓋位置決め係止点が設けられる。
弾性機構は、リング本体と、リング本体の内端に連結する弾性リングと、内蓋位置決め部材の中空構造内に収容され、ハウジングの内端面に弾性的に当接する伸縮ばねとを備え、リング本体と弾性リングは、内蓋位置決め部材及び弾性部材に外嵌し、リング本体の内端の内側面には弾性部材の内蓋ストッパ係止点に対応する位置に、内蓋ストッパ係止点と係止かつ位置決めが可能な弾性機構ストッパ係止点が設けられ、リング本体の外端の内側面に、内蓋位置決め係止点を位置決めする弾性機構位置決め係止点が設けられ、弾性リングには、弾性部材の内蓋ストッパ係止点の外側に対応する位置に弾性押圧係止点が設けられる。
ハウジングの外側面には、弾性リングの弾性押圧係止点に対応する位置にボタンが設けられる。
【０００６】
本考案の更なる改良では、ハウジングに第１中空溝が設けられ、ボタンは第１中空溝内に設置され、且つ、片側においてボタン連結テープでハウジングと一体に連結される。
【０００７】
本考案の更なる改良では、第１中空溝とボタンは四角形である。
【０００８】
本考案の更なる改良では、断面が十字状であるばねストッパが、内蓋位置決め部材の中空構造内に設けられ、伸縮ばねを位置決めする。
【０００９】
本考案の更なる改良では、カートリッジ部材を係止する少なくとも一対のカートリッジ係止点が内蓋管の外周に設けられ、内蓋管には、カートリッジ係止点の弾性を保持するよう第２中空溝がカートリッジ係止点の両側の位置に設けられている。
【００１０】
本考案の更なる改良では、内蓋ストッパ係止点は弾性部材の内端の外側面に設けられ、内蓋位置決め係止点は内蓋位置決め部材の内端の外側面に設けられる。
【考案の効果】
【００１１】
本考案の有益な効果として、本考案の押圧式化粧品の蓋体構造によれば、内蓋と、ハウジングと、弾性機構という三つの部品だけで口紅チューブの開閉を実現でき、部品を減らすことができ、構造を簡素化し、製造コストを低減するとともに、使い勝手がよりよくなり、部品破損リスクを低減し、使用寿命を延ばすことができることが挙げられる。
【図面の簡単な説明】
【００１２】
【図１】本考案のボタンの構造を示す図である。
【図２】図１の断面構造を示す図である。
【図３】本考案の弾性機構の断面構造を示す図である。
【図４】図３のＡ−Ａ断面構造を示す図である。
【図５】本考案の内蓋の構造を示す図である。
【図６】組み合わせた本考案の断面構造を示す図である。
【図７】図６のボタン押下後の中間状態を示す模式図である。
【図８】図６のボタン押下後の最終状態を示す模式図である。
【図９】本考案の構造とカートリッジとを組み合わせた構造の断面構造を示す図である。
【図１０】図９のボタン押下後の中間状態を示す模式図である。
【図１１】図９のボタン押下後の最終状態を示す模式図である。
【図１２】カートリッジ部材を抜き出した後の構造の断面構造を示す図である。
【考案を実施するための形態】
【００１３】
以下の記載と、本考案の実施例の説明に用いられる図面により、本考案は、より明確なものとなる。
【００１４】
添付図面を参照して、本考案について詳しく説明するが、本考案の保護範囲は、以下の実施例に限定されず、本出願の請求の範囲及び明細書の内容で作成した簡単な等価変化と改変も、本考案の権利が包含する範囲の内である。
【００１５】
図１〜図１２に示すように、押圧式化粧品の蓋体構造は、筒状のハウジング１と、ハウジング１内に嵌合する内蓋２と、内蓋２の内端とハウジング１との間に設けられる弾性機構３とを含む。内蓋２の外端に化粧品本体を嵌合するための内蓋管２１が形成され、内蓋管２１の内端面は密閉され、内端面にその軸方向に沿って外側へ内蓋位置決め部材２２が設けられ、内蓋位置決め部材２２は中空構造で、その軸方向に沿った一側面に切り欠き２２１が形成され、切り欠き２２１の対応する所に弾性部材２３が設けられ、弾性部材２３の外側面に内蓋ストッパ係止点２３１が設けられ、内蓋位置決め部材２２の外側面に内蓋位置決め係止点２２２が設けられる。弾性機構３は、リング本体３１と、リング本体３１の内端に連結する弾性リング３２と、内蓋位置決め部材２２の中空構造内に収容され、ハウジング１の内端面に弾性的に当接する伸縮ばね３３とを備え、リング本体３１と弾性リング３２とは、内蓋位置決め部材２２及び弾性部材２３に外嵌し、リング本体３１の内端の内側面には、弾性部材２３の内蓋ストッパ係止点２３１に対応する位置に、内蓋ストッパ係止点２３１と係止かつ位置決めが可能な弾性機構ストッパ係止点３１１が設けられ（両者が係止してバックルを形成する）、リング本体３１の外端の内側面に、内蓋位置決め係止点２２２を位置決めする弾性機構位置決め係止点３１２が設けられ、弾性リング３２には、弾性部材２３の内蓋ストッパ係止点２３１の外側に対応する位置に弾性押圧係止点３２１が設けられ、ハウジング１の外側面には、弾性リング３２の弾性押圧係止点３２１に対応する位置にボタン１１が設けられる。
【００１６】
ハウジング１に第１中空溝１２が設けられ、ボタン１１は、第１中空溝１２の中に設置され、且つ、片側においてボタン連結テープ１３でハウジング１と一体に連結される。第１中空溝１２とボタン１１とは、四角形（またはユーザーのニーズに合わせるカスタマイズ可能な他の形状）である。さらに好適な伸縮ばね３３の位置決めのために、断面が十字状であるばねストッパが、内蓋位置決め部材２２の中空構造内に設けられる。カートリッジ部材５を係止する少なくとも一対のカートリッジ係止点２１１が、内蓋管２１の外周に設けられ、カートリッジ係止点２１１の弾性を保持するよう第２中空溝２１２がカートリッジ係止点２１１の両側に設けられる。内蓋ストッパ係止点２３１は弾性部材２３の内端の外側面に設けられ、内蓋位置決め係止点２２２は内蓋位置決め部材２２の内端の外側面に設けられる。
【００１７】
組み合わせた本考案の押圧式化粧品の蓋体構造の断面図は図６に示される。図６は内蓋２がハウジング１の頂部に押し当てられた時の蓋体組み合わせの状態図で、弾性機構ストッパ係止点３１１は内蓋ストッパ係止点２３１に係止して位置決めする。化粧品を使用する場合、ハウジング１のボタン１１が押されると、ボタン１１は弾性機構３の弾性押圧係止点３２１を押し遣り内側に移動させ、弾性押圧係止点３２１は同時に内蓋ストッパ係止点２３１を押しやり内側に移動させ、これにより、内蓋ストッパ係止点２３１と弾性機構ストッパ係止点３１１とが係止状態から離脱される。図８に示すように、伸縮ばね３３の付勢力によって、弾性機構位置決め係止点３１２が内蓋位置決め係止点２２２に係止して位置決めするまで、内蓋２は外側に押し出される。
【００１８】
図９〜１２は押圧式化粧品の蓋体構造とカートリッジ部材５との組み合わせの使用状態を示す。図９はカートリッジ部材５が底部に押され、内蓋が弾性機構に係止する状態図である。使用する場合、図１０に示すように、ハウジングのボタンが押されると、ボタンは弾性機構を押し、弾性機構が内蓋のバックルを押すことによって、バックルは係止状態から離脱する。図１１に示すように、ばねにより内蓋は押し出され、弾性機構位置決め係止点に係止する。図１２に示すように、最後に、カートリッジ部材が抜き出された後、底部を回転して化粧品を使用できる。
【００１９】
本考案の押圧式化粧品の蓋体構造は、内蓋と、ハウジングと、弾性機構という三つの部品だけで側方押圧式ボタンの口紅を実現でき、ボタンと蓋が一体になって、内蓋と、ハウジングと、弾性機構という三つの部品だけでよいので、部品を減らすことができ、構造を簡素化し、製造コストを低減するとともに、使い勝手がよりよくなり、部品破損リスクを低減し、使用寿命を延ばすことができる。
【符号の説明】
【００２０】
１  ハウジング                  １１  ボタン
１２  第１中空溝                １３  ボタン連結テープ
２  内蓋                        ２１  内蓋管
２１１  カートリッジ係止点      ２１２  第２中空溝
２２  内蓋位置決め部材          ２２１  切り欠き
２２２  内蓋位置決め係止点
２３  弾性部材                  ２３１  内蓋ストッパ係止点
３  弾性機構                    ３１  リング本体
３１１  弾性機構ストッパ係止点  ３１２  弾性機構位置決め係止点
３２  弾性リング                ３２１  弾性押圧係止点
３３  伸縮ばね                  ５  カートリッジ部材
【図１】
0003221851.tif 000003
【図２】
0003221851.tif 000004
【図３】
0003221851.tif 000005
【図４】
0003221851.tif 000006
【図５】
0003221851.tif 000007
【図６】
0003221851.tif 000008
【図７】
0003221851.tif 000009
【図８】
0003221851.tif 000010
【図９】
0003221851.tif 000011
【図１０】
0003221851.tif 000012
【図１１】
0003221851.tif 000013
【図１２】
0003221851.tif 000014